(57)【要約】      （修正有）【課題】隠蔽情報が付加された図柄を送信する。【解決手段】情報処理装置１は、１以上の図柄を格納し得る図柄格納部１１１と、１以上の図柄のうち、一の図柄の選択を受け付ける選択受付部１２１と、隠蔽情報を受け付ける隠蔽情報受付部１２２と、選択受付部１２１が受け付けた選択に対応する一の図柄と隠蔽情報受付部１２２が受け付けた隠蔽情報とを用いて、隠蔽情報付加図柄を生成する隠蔽情報付加図柄生成部１３１と、隠蔽情報付加図柄生成部１３１が生成した隠蔽情報付加図柄を送信する送信部１４と、を具備する。【選択図】図３
2017010334.tif 000002
【特許請求の範囲】
【請求項１】
図柄と当該図柄に隠蔽された情報である隠蔽情報とを有する隠蔽情報付加図柄を含むメッセージを受信する受信部と、
前記メッセージが有する隠蔽情報付加図柄に含まれる図柄と隠蔽情報のうち、少なくとも１種類以上の情報を出力する出力部とを具備する情報処理装置。
【請求項２】
前記隠蔽情報付加図柄が有する図柄と隠蔽情報は、別の装置で出力される請求項１記載の情報処理装置。
【請求項３】
前記隠蔽情報を情報処理装置とは別の装置である出力装置に送信する送信部をさらに具備する請求項２記載の情報処理装置。
【請求項４】
前記メッセージは、テキストをも有し、
前記隠蔽情報は、音声データを含み、
前記送信部は、
前記テキストまたは前記テキストを変換した音声データをも前記出力装置に送信する請求項３記載の情報処理装置。
【請求項５】
前記図柄を情報処理装置とは別の装置である出力装置に送信する送信部をさらに具備する請求項２記載の情報処理装置。
【請求項６】
前記メッセージは、前記隠蔽情報ではないテキストをも有し、
前記送信部は、
前記テキストをも前記出力装置に送信する請求項５記載の情報処理装置。
【請求項７】
１以上の図柄を格納し得る図柄格納部と、
前記１以上の図柄のうち、一の図柄の選択を受け付ける選択受付部と、
隠蔽情報を受け付ける隠蔽情報受付部と、
前記選択受付部が受け付けた選択に対応する一の図柄と前記隠蔽情報受付部が受け付けた隠蔽情報とを用いて、隠蔽情報付加図柄を生成する隠蔽情報付加図柄生成部と、
前記隠蔽情報付加図柄生成部が生成した隠蔽情報付加図柄を送信する送信部とを具備する情報処理装置。
【請求項８】
前記隠蔽情報は、音声データまたは文字列を含む請求項１から請求項７いずれか一項に記載の情報処理装置。
【請求項９】
図柄と隠蔽情報とを有する隠蔽情報付加図柄であって、
前記隠蔽情報付加図柄を含むメッセージを受信した情報処理装置は、
前記メッセージが有する図柄と隠蔽情報のうち、少なくとも１種類以上の情報を出力する隠蔽情報付加図柄。
【請求項１０】
受信部、および出力部により実現される情報処理方法であって、
前記受信部が、図柄と当該図柄に隠蔽された情報である隠蔽情報とを有する隠蔽情報付加図柄を含むメッセージを受信する受信ステップと、
前出力部が、前記メッセージが有する隠蔽情報付加図柄に含まれる図柄と隠蔽情報のうち、少なくとも１種類以上の情報を出力する出力ステップとを具備する情報処理方法。
【請求項１１】
コンピュータを、
図柄と当該図柄に隠蔽された情報である隠蔽情報とを有する隠蔽情報付加図柄を含むメッセージを受信する受信部と、
前記メッセージが有する隠蔽情報付加図柄に含まれる図柄と隠蔽情報のうち、少なくとも１種類以上の情報を出力する出力部として機能させるためのプログラム。
【発明の詳細な説明】
【技術分野】
【０００１】
本発明は、図柄を含むメッセージを受信する情報処理装置等に関するものである。
【背景技術】
【０００２】
従来、スタンプと言われる図柄を含むメッセージを送信したり、受信したりできた（例えば、非特許文献１参照）。
【先行技術文献】
【非特許文献】
【０００３】
【非特許文献１】ＬＩＮＥ、［online］、［平成２７年６月２１日検索］、インターネット［URL：http://line.me/ja/］
【発明の概要】
【発明が解決しようとする課題】
【０００４】
しかしながら、従来技術においては、音声データが付加された図柄を送信できなかった。そのため、従来技術においては、例えば、時計型の端末等、表示スペースが小さい画面にメッセージを表示する場合等には、メッセージが有するすべての情報を一覧できない場合があった。また、従来技術においては、スタンプのみを送信する場合に、その意味が送信先のユーザに伝わらない場合があった。
【課題を解決するための手段】
【０００５】
本第一の発明の情報処理装置は、図柄と図柄に隠蔽された情報である隠蔽情報とを有する隠蔽情報付加図柄を含むメッセージを受信する受信部と、メッセージが有する隠蔽情報付加図柄に含まれる図柄と隠蔽情報のうち、少なくとも１種類以上の情報を出力する出力部とを具備する情報処理装置である。
【０００６】
かかる構成により、隠蔽情報が付加された図柄を送信できる。
【０００７】
また、本第二の発明の情報処理装置は、第一の発明に対して、隠蔽情報付加図柄が有する図柄と隠蔽情報は、別の装置で出力される情報処理装置である。
【０００８】
かかる構成により、受信された隠蔽情報付加図柄が有する図柄と隠蔽情報とを異なる装置で出力できる。
【０００９】
また、本第三の発明の情報処理装置は、第二の発明に対して、隠蔽情報を情報処理装置とは別の装置である出力装置に送信する送信部をさらに具備する情報処理装置である。
【００１０】
かかる構成により、受信された隠蔽情報付加図柄が有する図柄を表示し、かつ隠蔽情報付加図柄が有する隠蔽情報を出力装置に送信できる。
【００１１】
また、本第四の発明の情報処理装置は、第三の発明に対して、メッセージは、テキストをも有し、隠蔽情報は、音声データを含み、送信部は、テキストまたはテキストを変換した音声データをも出力装置に送信する情報処理装置である。
【００１２】
かかる構成により、受信されたメッセージに含まれる隠蔽情報付加図柄が有する図柄とテキストとを表示し、かつ隠蔽情報付加図柄が有する隠蔽情報を出力装置に送信できる。
【００１３】
また、本第五の発明の情報処理装置は、第二の発明に対して、図柄を情報処理装置とは別の装置である出力装置に送信する送信部をさらに具備する情報処理装置である。
【００１４】
かかる構成により、受信された隠蔽情報付加図柄が有する隠蔽情報を出力し、かつ隠蔽情報付加図柄が有する図柄を出力装置に送信できる。
【００１５】
また、本第六の発明の情報処理装置は、第五の発明に対して、メッセージは、テキストをも有し、送信部は、テキストをも出力装置に送信する情報処理装置である。
【００１６】
かかる構成により、受信されたメッセージに含まれる音声付き図柄が有する音声データを出力し、かつメッセージに含まれる図柄とテキストとを出力装置に送信できる。
【００１７】
また、本第七の発明の情報処理装置は、１以上の図柄を格納し得る図柄格納部と、１以上の図柄のうち、一の図柄の選択を受け付ける選択受付部と、隠蔽情報を受け付ける隠蔽情報受付部と、選択受付部が受け付けた選択に対応する一の図柄と隠蔽情報受付部が受け付けた隠蔽情報とを用いて、隠蔽情報付加図柄を生成する隠蔽情報付加図柄生成部と、隠蔽情報付加図柄生成部が生成した隠蔽情報付加図柄を送信する送信部とを具備する情報処理装置である。
【００１８】
かかる構成により、ユーザが音声付き図柄を容易に作成できる。
【発明の効果】
【００１９】
本発明による情報処理装置によれば、隠蔽情報が付加された図柄を送信できる。
【図面の簡単な説明】
【００２０】
【図１】実施の形態１における情報システムＡの概念図
【図２】同情報システムＡのブロック図
【図３】同情報処理装置１のブロック図
【図４】同情報処理装置１の動作について説明するフローチャート
【図５】同図柄管理表を示す図
【図６】同隠蔽情報付加図柄管理表を示す図
【図７】同隠蔽情報付加図柄のデータ構造例を示す図
【図８】同メッセージの例を示す図
【図９】同メッセージの表示例を示す図
【図１０】同出力例を示す図
【図１１】実施の形態２における情報システムＢのブロック図
【図１２】同情報処理装置３のブロック図
【図１３】同情報処理装置３の動作について説明するフローチャート
【図１４】同出力例を示す図
【図１５】同出力例を示す図
【図１６】上記実施の形態におけるコンピュータシステムの概観図
【図１７】同コンピュータシステムのブロック図
【発明を実施するための形態】
【００２１】
以下、情報処理装置等の実施形態について図面を参照して説明する。なお、実施の形態において同じ符号を付した構成要素は同様の動作を行うので、再度の説明を省略する場合がある。
【００２２】
（実施の形態１）
本実施の形態において、隠蔽情報付加図柄を含むメッセージを受信し、隠蔽情報または／および図柄を出力する情報処理装置等を含む情報システムについて説明する。
【００２３】
また、本実施の形態において、図柄の出力と隠蔽情報の出力とは異なる装置で行う情報システムについて説明する。
【００２４】
また、本実施の形態において、受信された隠蔽情報を出力装置に送信する情報処理装置等を含む情報システムについて説明する。
【００２５】
さらに、図柄に隠蔽情報を付加して隠蔽情報付加図柄を生成する情報処理装置等を含む情報システムについて説明する。
【００２６】
図１は、本実施の形態における情報システムＡの概念図である。情報システムＡは、１または２以上の情報処理装置１、および１または２以上の出力装置２を備える。情報処理装置１、出力装置２は、端末装置であり、例えば、いわゆるスマートフォン、パソコン、時計型端末等のウェアラブル端末、タブレット端末等であり、その種類は問わない。
【００２７】
図２は、本実施の形態における情報システムＡのブロック図である。また、図３は、情報システムＡを構成する情報処理装置１のブロック図である。
【００２８】
情報処理装置１は、格納部１１、受付部１２、処理部１３、送信部１４、受信部１５、出力部１６を備える。
【００２９】
格納部１１は、図柄格納部１１１、隠蔽情報付加図柄格納部１１２を備える。
【００３０】
受付部１２は、選択受付部１２１、隠蔽情報受付部１２２、メッセージ受付部１２３、送信指示受付部１２４を備える。
【００３１】
処理部１３は、隠蔽情報付加図柄生成部１３１を備える。
【００３２】
送信部１４は、メッセージ送信部１４１、隠蔽情報送信部１４２を備える。
【００３３】
受信部１５は、メッセージ受信部１５１を備える。
【００３４】
出力部１６は、表示情報出力部１６１を備える。
【００３５】
出力装置２は、隠蔽情報受信部２１、隠蔽情報出力部２２を備える。
【００３６】
情報処理装置１を構成する格納部１１は、種々の情報を格納し得る。種々の情報とは、例えば、後述する隠蔽情報付加図柄、隠蔽情報が付加されていない図柄等である。
【００３７】
図柄格納部１１１は、１以上の図柄を格納し得る。ここでの図柄は、隠蔽情報が付加されていない図柄である。図柄は、通常、静止画である。図柄は、通常、ビットマップであるが、ベクターデータでも良い。図柄は、例えば、いわゆるスタンプも含む。図柄は、何らかの絵や文字等を表していれば良い。図柄のデータ構造は問わない。図柄は、例えば、２以上の静止画の集合でも良い。なお、スタンプは、例えば、非特許文献１におけるスタンプである。
【００３８】
隠蔽情報付加図柄格納部１１２は、１以上の隠蔽情報付加図柄を格納し得る。隠蔽情報付加図柄は、隠蔽情報が付加された図柄である。隠蔽情報は、例えば、音声データ、文字列のうち１種類以上の情報などである。隠蔽情報は、図柄に関連する情報であることは好適であるが、図柄に関連しない情報でも良い。隠蔽情報は、例えば、図柄の内容を説明する情報、図柄が示すキャラクタが発言している情報等である。隠蔽情報は、通常、図柄とは出力手段または出力方法が異なる情報である。例えば、図柄は表示手段が出力し、隠蔽情報は音声出力手段が出力する。また、例えば、表示されている図柄に対して、ユーザが何らかの指示等を入力することにより、隠蔽情報が表示される。つまり、隠蔽情報は、図柄を構成する文字列や図柄ではない。隠蔽情報付加図柄は、通常、図柄と隠蔽情報とが一体化されている情報である。隠蔽情報付加図柄は、例えば、図柄と隠蔽情報とを一ファイルの中に有する情報である。ただし、隠蔽情報付加図柄において、図柄と隠蔽情報とが、物理的に分離されていても良く、図柄と隠蔽情報とが対応付いていれば良い。図柄と隠蔽情報とが対応付ける情報は、例えば、図柄へのポインタまたは図柄を識別する識別子と、隠蔽情報へのポインタまたは隠蔽情報を識別する識別子とを有する情報である。
【００３９】
隠蔽情報付加図柄格納部１１２が格納している隠蔽情報付加図柄は、隠蔽情報付加図柄生成部１３１が生成した隠蔽情報付加図柄でも良いし、予め準備されている隠蔽情報付加図柄でも良いし、それらの混在でも良い。
【００４０】
受付部１２は、各種の指示や情報を受け付ける。各種の指示や情報とは、例えば、後述する一の図柄の選択、隠蔽情報、メッセージ、メッセージを作成するための指示や情報、送信指示、隠蔽情報出力指示等である。隠蔽情報出力指示は、表示されている図柄に対する指示であり、当該図柄に対応する隠蔽情報を出力する指示である。
【００４１】
各種の指示や情報の入力手段は、キーボードやタッチパネルやマウスやメニュー画面によるもの等、何でも良い。受付部１２は、キーボード等の入力手段のデバイスドライバーや、メニュー画面の制御ソフトウェア等で実現され得る。また、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００４２】
選択受付部１２１は、１以上の図柄のうち、一の図柄の選択を受け付ける。選択受付部１２１は、通常、出力されている１以上の図柄のうち、一の図柄の選択を、ユーザから受け付ける。なお、図柄の選択の手段は、タッチパネルに対するタッチ、マウスによるもの等、問わない。
【００４３】
隠蔽情報受付部１２２は、隠蔽情報を受け付ける。隠蔽情報は、音声データまたは文字列を含むことは好適である。隠蔽情報は、音声データと文字列の両方を含んでも良い。隠蔽情報受付部１２２は、例えば、マイクとそのドライバーソフトとを有する。
【００４４】
メッセージ受付部１２３は、メッセージを受け付ける。メッセージは、通常、隠蔽情報付加図柄を含む。メッセージは、隠蔽情報付加図柄だけでも良いし、隠蔽情報付加図柄と文字列とを含んでも良い。メッセージ受付部１２３は、隠蔽情報付加図柄を識別する隠蔽情報付加図柄識別子を含むことは好適である。
【００４５】
送信指示受付部１２４は、メッセージの送信指示を受け付ける。ここでのメッセージは、通常、メッセージ受付部１２３が受け付けたメッセージである。
【００４６】
処理部１３は、各種の処理を行う。各種の処理は、例えば、隠蔽情報付加図柄生成処理である。
【００４７】
隠蔽情報付加図柄生成部１３１は、隠蔽情報付加図柄を生成する。この隠蔽情報付加図柄は、選択受付部１２１が受け付けた選択に対応する一の図柄と隠蔽情報受付部１２２が受け付けた隠蔽情報とを用いて生成される。この隠蔽情報付加図柄は、選択受付部１２１が受け付けた選択に対応する一の図柄と隠蔽情報受付部１２２が受け付けた隠蔽情報とを有する。
【００４８】
ここで、生成とは、例えば、図柄と隠蔽情報とを一体化して、隠蔽情報図柄のファイルを作成する処理である。また、例えば、生成とは、図柄と隠蔽情報とを対応付ける情報を生成する処理である。なお、対応付ける情報は、例えば、図柄の識別子（ファイル名やＩＤ）、隠蔽情報の識別子（ファイル名やＩＤ）の両方を含む情報である。
【００４９】
送信部１４は、例えば、受信部１５が受信した隠蔽情報付加図柄が有する隠蔽情報を情報処理装置１とは別の装置である出力装置２に送信する。なお、隠蔽情報付加図柄が有する図柄は、通常、情報処理装置１で出力される。
【００５０】
送信部１４は、例えば、受信部１５が受信したメッセージが有するテキスト、または受信部１５が受信したメッセージが有するテキストを変換した音声データをも出力装置２に送信しても良い。
【００５１】
送信部１４は、隠蔽情報付加図柄生成部１３１が生成した隠蔽情報付加図柄を、他の装置に送信する。ここでの他の装置は、メッセージを受信する装置であり、例えば、他の情報処理装置１である。
【００５２】
メッセージ送信部１４１は、メッセージを他の装置に送信する。このメッセージは、メッセージ受付部１２３が受け付けたメッセージである。このメッセージは、隠蔽情報付加図柄を含むことは好適である。メッセージは、隠蔽情報付加図柄とテキストとを含むことは好適である。
【００５３】
隠蔽情報送信部１４２は、隠蔽情報を出力装置２に送信する。隠蔽情報送信部１４２は、例えば、ブルートゥース（登録商標）等の近距離無線通信により、隠蔽情報を出力装置２に送信する。
【００５４】
受信部１５は、隠蔽情報付加図柄を含むメッセージを受信する。
【００５５】
メッセージ受信部１５１は、メッセージを受信する。メッセージ受信部１５１は、通常、情報処理装置１からメッセージを受信する。メッセージは、隠蔽情報付加図柄を含むことは好適である。メッセージは、テキストをも有することは好適である。
【００５６】
出力部１６は、メッセージが有する隠蔽情報付加図柄に含まれる図柄と隠蔽情報のうち、少なくとも１種類以上の情報を出力する。また、出力部１６は、メッセージが有する隠蔽情報付加図柄に含まれる図柄のみを出力することは好適である。また、出力部１６は、メッセージが有する隠蔽情報付加図柄に含まれる図柄と、メッセージに含まれる文字列のみを出力しても良い。
【００５７】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００５８】
また、出力部１６は、図柄と隠蔽情報の両方を出力する場合、通常、同時に出力する。つまり、通常、出力部１６は、隠蔽情報を出力している間、図柄も表示している。ただし、出力部１６は、図柄の出力と隠蔽情報の出力を順次、行っても良い。例えば、出力部１６は、隠蔽情報を出力した後に、図柄を表示しても良い。
【００５９】
表示情報出力部１６１は、表示情報を出力する。表示情報とは、例えば、メッセージ受信部１５１が受信した情報の中の図柄である。表示情報とは、例えば、メッセージ受信部１５１が受信した情報の中の図柄と文字列（テキスト）である。表示情報は、隠蔽情報を含まなくても良い。ただし、表示情報出力部１６１は、隠蔽情報出力指示に応じて、隠蔽情報を出力しても良い。
【００６０】
出力装置２を構成する隠蔽情報受信部２１は、隠蔽情報を情報処理装置１から受信する。
【００６１】
隠蔽情報出力部２２は、隠蔽情報受信部２１が受信した隠蔽情報を出力する。
【００６２】
格納部１１、図柄格納部１１１、および隠蔽情報付加図柄格納部１１２は、不揮発性の記録媒体が好適であるが、揮発性の記録媒体でも実現可能である。
【００６３】
格納部１１等に情報が記憶される過程は問わない。例えば、記録媒体を介して情報が格納部１１で記憶されるようになってもよく、通信回線等を介して送信された情報が格納部１１で記憶されるようになってもよく、あるいは、入力デバイスを介して入力された情報が格納部１１で記憶されるようになってもよい。
【００６４】
処理部１３、および隠蔽情報付加図柄生成部１３１は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【００６５】
送信部１４、メッセージ送信部１４１、および隠蔽情報送信部１４２は、通常、無線または有線の通信手段で実現されるが、放送手段で実現されても良い。
【００６６】
受信部１５、メッセージ受信部１５１、および隠蔽情報受信部２１は、通常、無線または有線の通信手段で実現されるが、放送を受信する手段で実現されても良い。
【００６７】
出力部１６、および表示情報出力部１６１は、ディスプレイ等の出力デバイスを含むと考えても含まないと考えても良い。出力部１６は、出力デバイスのドライバーソフトまたは、出力デバイスのドライバーソフトと出力デバイス等で実現され得る。なお、出力部１６は、スピーカー等の出力デバイスを含むと考えても含まないと考えても良い。
【００６８】
隠蔽情報出力部２２は、ディスプレイやスピーカー等の出力デバイスを含むと考えても含まないと考えても良い。隠蔽情報出力部２２は、出力デバイスのドライバーソフトまたは、出力デバイスのドライバーソフトと出力デバイス等で実現され得る。
【００６９】
次に、情報システムＡの動作について説明する。まず、情報処理装置１の動作について、図４のフローチャートを用いて説明する。
【００７０】
（ステップＳ４０１）メッセージ受付部１２３は、メッセージを受け付けたか否かを判断する。メッセージを受け付けた場合はステップＳ４０２に行き、メッセージを受け付けない場合はステップＳ４０５に行く。なお、ここでのメッセージは、通常、隠蔽情報付加図柄を含む、とする。また、隠蔽情報付加図柄を含むメッセージの入力は、例えば、非特許文献１のソフトウェアにおいて、スタンプを選択したり、文字列を入力したりする行為等と同様の行為で良い。
【００７１】
（ステップＳ４０２）処理部１３は、ステップＳ４０１で受け付けられたメッセージから送信するメッセージを構成する。なお、送信するメッセージを構成する処理は例えば、受け付けられたメッセージから、送信するメッセージのデータ構造にする処理である。
【００７２】
（ステップＳ４０３）送信指示受付部１２４は、メッセージの送信指示を受け付けたか否かを判断する。メッセージの送信指示を受け付けた場合はステップＳ４０４に行き、メッセージの送信指示を受け付けない場合はステップＳ４０３に戻る。なお、メッセージの送信指示は、例えば、「送信」ボタンの押下により、入力される。
【００７３】
（ステップＳ４０４）メッセージ送信部１４１は、ステップＳ４０２で構成されたメッセージを送信する。ステップＳ４０１に戻る。なお、メッセージの送信先は、通常、情報処理装置１のユーザにより、予め指定または入力されている。
【００７４】
（ステップＳ４０５）選択受付部１２１は、図柄格納部１１１の１以上の図柄の中から、一の図柄の選択を受け付けたか否かを判断する。一の図柄の選択を受け付けた場合はステップＳ４０６に行き、一の図柄の選択を受け付けない場合はステップＳ４０９に行く。なお、図柄格納部１１１の１以上の図柄は、例えば、出力部１６により表示されている、とする。
【００７５】
（ステップＳ４０６）隠蔽情報受付部１２２は、隠蔽情報（例えば、音声データ、文字列など）を受け付けたか否かを判断する。隠蔽情報を受け付けた場合はステップＳ４０７に行き、受け付けない場合はステップＳ４０６に戻る。
【００７６】
（ステップＳ４０７）隠蔽情報付加図柄生成部１３１は、選択された一の図柄と、受け付けられた隠蔽情報とを用いて、隠蔽情報付加図柄を構成する。
【００７７】
（ステップＳ４０８）隠蔽情報付加図柄生成部１３１は、ステップＳ４０７で構成した隠蔽情報付加図柄を隠蔽情報付加図柄格納部１１２に蓄積する。ステップＳ４０１に戻る。
【００７８】
（ステップＳ４０９）メッセージ受信部１５１はメッセージを受信したか否かを判断する。メッセーを受信した場合はステップＳ４１０に行き、メッセージを受信しない場合はステップＳ４０１に戻る。
【００７９】
（ステップＳ４１０）隠蔽情報送信部１４２は、ステップＳ４０９で受信されたメッセージの中に、隠蔽情報付加図柄が含まれるか否かを判断する。隠蔽情報付加図柄が含まれる場合はステップＳ４１１に行き、隠蔽情報付加図柄が含まれない場合はステップＳ４１３に行く。
【００８０】
（ステップＳ４１１）隠蔽情報送信部１４２は、ステップＳ４０９で受信されたメッセージの中の隠蔽情報付加図柄から隠蔽情報を取得する。なお、ここで、隠蔽情報送信部１４２は、隠蔽情報付加図柄が有する２種類以上の隠蔽情報から一部（１種類以上）の隠蔽情報のみを取得しても良い。なお、隠蔽情報送信部１４２は、２種類以上の隠蔽情報を取得しても良い。
【００８１】
（ステップＳ４１２）隠蔽情報送信部１４２は、ステップＳ４１１で取得した隠蔽情報を出力装置２に送信する。
【００８２】
（ステップＳ４１３）表示情報出力部１６１は、ステップＳ４０９で受信されたメッセージの中の表示情報を取得する。ここで取得される表示情報は、例えば、図柄、または図柄と文字列等である。
【００８３】
（ステップＳ４１４）表示情報出力部１６１は、ステップＳ４１３で取得した表示情報を表示する。ステップＳ４０１に戻る。
【００８４】
なお、図４のフローチャートにおいて、表示情報出力部１６１が表示情報を表示した後、受付部１２が隠蔽情報出力指示を受け付けた場合、出力部１６は、当該表示情報に含まれる図柄に対応する隠蔽情報を出力しても良い。
【００８５】
また、図４のフローチャートにおいて、電源オフや処理終了の割り込みにより処理は終了する。
【００８６】
次に、出力装置２の動作について説明する。出力装置２の隠蔽情報受信部２１は隠蔽情報を受信する。次に、隠蔽情報出力部２２は、受信された隠蔽情報を出力する。
【００８７】
以下、本実施の形態における情報システムＡの具体的な動作について説明する。情報システムＡの概念図は図１である。
【００８８】
今、図柄格納部１１１は、図５に示す図柄管理表を保持している。図柄管理表は、多数の図柄を管理している。
【００８９】
また、隠蔽情報付加図柄格納部１１２は、図６に示す構造を有する隠蔽情報付加図柄管理表を保持している。図柄管理表は、多数の隠蔽情報付加図柄を管理している。隠蔽情報付加図柄管理表は、「ＩＤ」「隠蔽情報付加図柄」を有する。また、「隠蔽情報付加図柄」は、「図柄」「音声データ」「文字列」を有する。「音声データ」「文字列」は、隠蔽情報の例である。なお、図６の隠蔽情報付加図柄管理表において、「ＩＤ＝１」の隠蔽情報付加図柄は、予め格納されている、とする。また、隠蔽情報付加図柄管理表の「音声データ」の下の文字列は、音声データで表現されている発言を示す。
【００９０】
かかる状況において、ユーザＸは、自分の情報処理装置１に対して、図柄出力指示を入力した、とする。
【００９１】
すると、受付部１２は、図柄出力指示を受け付け、出力部１６は、図５の図柄管理表の１以上の図柄を表示した、とする。
【００９２】
次に、ユーザＸは、表示されている図柄群から、図５の「ＩＤ＝１」の図柄への選択の指示を入力した、とする。
【００９３】
すると、選択受付部１２１は、図柄格納部１１１の１以上の図柄の中から、一の図柄の選択を受け付ける。
【００９４】
次に、ユーザは、音声「頑張ってます」を、情報処理装置１のマイクに向けて発した、とする。また、ユーザは、文字列「元気に頑張っているので、ご心配なく」を入力した、とする。そして、隠蔽情報受付部１２２は、隠蔽情報である音声データ「頑張ってます」を受け付ける。また、隠蔽情報受付部１２２は、文字列「元気に頑張っているので、ご心配なく」を受け付ける。
【００９５】
次に、隠蔽情報付加図柄生成部１３１は、選択された一の図柄（図５の「ＩＤ＝１」の図柄）と、受け付けられた音声データ「頑張ってます」と文字列「元気に頑張っているので、ご心配なく」とを用いて、隠蔽情報付加図柄を構成する。
【００９６】
次に、隠蔽情報付加図柄生成部１３１は、構成した隠蔽情報付加図柄を隠蔽情報付加図柄管理表に蓄積する。なお、かかる蓄積された隠蔽情報付加図柄は、図６の「ＩＤ＝２」の隠蔽情報付加図柄である。
【００９７】
なお、図６の「ＩＤ＝２」の隠蔽情報付加図柄は、例えば、図７に示すようなデータ構造を有する。図７に示すデータ構造は、ヘッダー部、実体部、フッター部を有するファイルである。ヘッダー部は、図柄（ビットマップ）のヘッダー部である。実体部は、図柄（ビットマップ）の実体データを格納する領域である。フッター部は、隠蔽情報を格納する領域である。フッター部のうちタグ＜音声データ>＜／音声データ＞で囲まれたデータは、音声データである。フッター部のうちタグ＜文字列>＜／文字列＞で囲まれたデータは、文字列である。
【００９８】
次に、ユーザＸは、表示されている図柄群から、図５の「ＩＤ＝２」の図柄への選択の指示を入力した、とする。
【００９９】
すると、選択受付部１２１は、図柄格納部１１１の１以上の図柄の中から、一の図柄の選択を受け付ける。
【０１００】
次に、ユーザは、音声「今から帰ります」を、情報処理装置１のマイクに向けて発した、とする。そして、隠蔽情報受付部１２２は、隠蔽情報である音声データ「今から帰ります」を受け付ける。なお、隠蔽情報受付部１２２は、文字列は受け付けなかった、とする。
【０１０１】
次に、隠蔽情報付加図柄生成部１３１は、選択された一の図柄（図５の「ＩＤ＝２」の図柄）と、受け付けられた音声データ「今から帰ります」とを用いて、隠蔽情報付加図柄を構成する。
【０１０２】
次に、隠蔽情報付加図柄生成部１３１は、構成した隠蔽情報付加図柄を隠蔽情報付加図柄管理表に蓄積する。なお、かかる蓄積された隠蔽情報付加図柄は、図６の「ＩＤ＝３」の隠蔽情報付加図柄である。
【０１０３】
次に、ユーザＸは、表示されている図柄群から、図５の「ＩＤ＝３」の図柄への選択の指示を入力した、とする。
【０１０４】
すると、選択受付部１２１は、図柄格納部１１１の１以上の図柄の中から、一の図柄の選択を受け付ける。
【０１０５】
次に、ユーザは、文字列「悲しいね！」を入力したとする。そして、隠蔽情報受付部１２２は、隠蔽情報である文字列「悲しいね！」を受け付ける。なお、隠蔽情報受付部１２２は、音声は受け付けなかった、とする。
【０１０６】
次に、隠蔽情報付加図柄生成部１３１は、選択された一の図柄（図５の「ＩＤ＝３」の図柄）と、受け付けられた文字列「悲しいね！」とを用いて、隠蔽情報付加図柄を構成する。
【０１０７】
次に、隠蔽情報付加図柄生成部１３１は、構成した隠蔽情報付加図柄を隠蔽情報付加図柄管理表に蓄積する。なお、かかる蓄積された隠蔽情報付加図柄は、図６の「ＩＤ＝４」の隠蔽情報付加図柄である。
【０１０８】
次に、ユーザＸは、情報処理装置１に対して、例えば、メッセージを構成するテキスト「今度、お盆に帰省します。」を入力し、かつ隠蔽情報付加図柄管理表（図６）から「ＩＤ＝２」の隠蔽情報付加図柄を選択し、入力した、とする。
【０１０９】
次に、メッセージ受付部１２３は、メッセージを受け付ける。このメッセージは、テキスト「今度、お盆に帰省します。」と、その後に続く「ＩＤ＝２」の隠蔽情報付加図柄を有する。
【０１１０】
次に、処理部１３は、受け付けられたメッセージから送信するメッセージを構成する（図８の８０１参照）。
【０１１１】
次に、ユーザＸの８０２の送信ボタンを押下した、とする。次に、送信指示受付部１２４は、メッセージの送信指示を受け付ける。
【０１１２】
次に、メッセージ送信部１４１は、構成されたメッセージ（８０１）を、ユーザＹの情報処理装置１に送信した、とする。なお、ユーザＸは、メッセージの送信先をユーザＹである、と予め選択していた、とする。
【０１１３】
次に、ユーザＹの情報処理装置１のメッセージ受信部１５１は、ユーザＸからのメッセージを受信する。
【０１１４】
次に、隠蔽情報送信部１４２は、受信されたメッセージの中に、隠蔽情報付加図柄が含まれる、と判断する。
【０１１５】
次に、隠蔽情報送信部１４２は、受信されたメッセージの中の隠蔽情報付加図柄から隠蔽情報の音声データ（"頑張ってます"の音声のデータ）のみを取得する。
【０１１６】
次に、隠蔽情報送信部１４２は、隠蔽情報の音声データ（"頑張ってます"の音声のデータ）を出力装置２に送信する。
【０１１７】
次に、出力装置２の隠蔽情報受信部２１は、"頑張ってます"の音声データを受信する。次に、隠蔽情報出力部２２は、隠蔽情報受信部２１が受信した"頑張ってます"の音声データを音声出力する。
【０１１８】
次に、表示情報出力部１６１は、受信されたメッセージの中の表示情報を取得する。なお、表示情報は、音声データを含まない「今度、お盆に帰省します。」と図柄（図６の「ＩＤ＝２」の図柄）を含む。
【０１１９】
次に、表示情報出力部１６１は、取得した表示情報を表示する。かかる表示例は、図９である。なお、図９の９０１は表示情報である。また、９０２は、ユーザＸの登録された画像（顔画像）である。また、ここでは、図柄に対応する隠蔽情報の文字列「元気に頑張っているので、ご心配なく」は表示されない。
【０１２０】
次に、ユーザＹは、図９の画面の中の図柄９０１１を押下し、隠蔽情報出力指示を入力した、とする。
【０１２１】
次に、受付部１２は、隠蔽情報出力指示を受け付ける。
【０１２２】
次に、表示情報出力部１６１は、隠蔽情報出力指示に応じて、図柄９０１に対応する隠蔽情報の文字列「元気に頑張っているので、ご心配なく」をメッセージから取得する。
【０１２３】
次に、表示情報出力部１６１は、文字列「元気に頑張っているので、ご心配なく」を出力する。かかる出力例は、図１０である。なお、隠蔽情報出力指示に応じて隠蔽情報の文字列を表示する態様は問わない。
【０１２４】
以上、本実施の形態によれば、隠蔽情報が付加された図柄を送信できる。そのため、受信側の機器に適合した情報の伝達が可能になる。例えば、メッセージの受信者が保持する機器のディスプレイは小さいが、メッセージの受信者が音声出力装置を有する場合、図柄の表示と音声データの出力とを、別の装置で行うことにより、適切に情報が出力される。
【０１２５】
また、スタンプ等の図柄の意味が分からない場合、当該図柄に対して隠蔽情報出力指示を入力すれば、図柄の意味を出力してくれるという機能により、より適切にメッセージが伝わる。
【０１２６】
なお、本実施の形態において、隠蔽情報付加図柄のデータ構造は問わない。隠蔽情報付加図柄は、図柄と隠蔽情報とを有し、隠蔽情報付加図柄を含むメッセージを受信した情報処理装置は当該メッセージが有する図柄と隠蔽情報のうち、少なくとも１種類以上の情報を出力すれば良い。
【０１２７】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置１を実現するソフトウェアは、以下のようなプログラムである。つまり、このプログラムは、コンピュータを、図柄と当該図柄に隠蔽された情報である隠蔽情報とを有する隠蔽情報付加図柄を含むメッセージを受信する受信部と、前記メッセージが有する隠蔽情報付加図柄に含まれる図柄と隠蔽情報のうち、少なくとも１種類以上の情報を出力する出力部として機能させるためのプログラムである。
【０１２８】
また、上記プログラムにおいて、前記隠蔽情報付加アイコンが有するアイコンと隠蔽情報は、別の装置で出力されることは好適である。
【０１２９】
また、上記プログラムにおいて、コンピュータを、前記隠蔽情報を情報処理装置とは別の装置である出力装置に送信する送信部として、さらに機能させるプログラムであることは好適である。
【０１３０】
また、上記プログラムにおいて、前記メッセージは、テキストをも有し、前記隠蔽情報は、音声データを含み、前記送信部は、前記テキストまたは前記テキストを変換した音声データをも前記出力装置に送信するものとして、コンピュータを機能させるプログラムであることは好適である。
【０１３１】
また、コンピュータがアクセス可能な記録媒体は、１以上のアイコンを格納し得るアイコン格納部を含み、コンピュータを前記１以上のアイコンのうち、一のアイコンの選択を受け付ける選択受付部と、隠蔽情報を受け付ける隠蔽情報受付部と、前記選択受付部が受け付けた選択に対応する一のアイコンと前記隠蔽情報受付部が受け付けた隠蔽情報とを用いて、隠蔽情報付加アイコンを生成する隠蔽情報付加アイコン生成部と、前記隠蔽情報付加アイコン生成部が生成した隠蔽情報付加アイコンを送信する送信部として、機能させるプログラムであることは好適である。
【０１３２】
（実施の形態２）
本実施の形態において、実施の形態１との相違は、隠蔽情報付加図柄を含むメッセージを受信した情報処理装置は、出力装置に図柄を送信する点である。
【０１３３】
つまり、本実施の形態においても、隠蔽情報付加図柄を含むメッセージを受信し、隠蔽情報または／および図柄を出力する情報処理装置等を含む情報システムについて説明する。
【０１３４】
また、本実施の形態において、図柄の出力と隠蔽情報の出力とは異なる装置で行う情報システムについて説明する。
【０１３５】
また、本実施の形態において、受信された図柄を出力装置に送信する情報処理装置等を含む情報システムについて説明する。
【０１３６】
本実施の形態における情報システムＢの概念図は、符号を除いて、図１と同様である。情報システムＢは、１または２以上の情報処理装置３、１または２以上の出力装置４を備える。
【０１３７】
図１１は、本実施の形態における情報システムＢのブロック図である。図１２は、情報処理装置３のブロック図である。
【０１３８】
情報処理装置３は、格納部１１、受付部１２、処理部１３、送信部３４、受信部１５、および出力部３６を備える。
【０１３９】
送信部３４は、メッセージ送信部１４１、および図柄送信部３４２を備える。
【０１４０】
出力部３６は、隠蔽情報出力部３６１を備える。
【０１４１】
出力装置４は、表示情報受信部４１、および表示情報出力部４２を備える。
【０１４２】
情報処理装置３を構成する送信部３４は、図柄を情報処理装置３とは別の装置である出力装置４に送信する。
【０１４３】
送信部３４は、受信されたメッセージが有するテキストをも出力装置４に送信しても良い。
【０１４４】
送信部３４は、隠蔽情報付加図柄生成部１３１が生成した隠蔽情報付加図柄を送信する。
【０１４５】
図柄送信部３４２は、受信されたメッセージが有する図柄を出力装置４に送信する。図柄送信部３４２は、通常、近距離無線通信により、図柄を送信する。
【０１４６】
出力部３６は、メッセージが有する隠蔽情報付加図柄に含まれる図柄と隠蔽情報のうち、少なくとも１種類以上の情報を出力する。出力部３６は、メッセージが有する隠蔽情報付加図柄に含まれる隠蔽情報のみを出力しても良い。
【０１４７】
出力部３６は、通常、図柄と隠蔽情報の両方を出力する場合、同時に出力する。つまり、出力部３６は、通常、隠蔽情報を出力している間、図柄も表示している。ただし、出力部３６は、図柄の出力と隠蔽情報の出力を順次、行っても良い。出力部３６は、例えば、隠蔽情報を出力した後に、図柄を表示しても良い。
【０１４８】
隠蔽情報出力部３６１は、受信されたメッセージが有する隠蔽情報を出力する。隠蔽情報は、通常、音声データである。
【０１４９】
出力装置４を構成する表示情報受信部４１は、情報処理装置３から表示情報を受信する。
【０１５０】
表示情報出力部４２は、表示情報受信部４１が受信した表示情報を出力する。
【０１５１】
送信部３４、および図柄送信部３４２は、通常、無線または有線の通信手段で実現されるが、放送手段で実現されても良い。
【０１５２】
出力部３６は、ディスプレイやスピーカー等の出力デバイスを含むと考えても含まないと考えても良い。出力部３６は、出力デバイスのドライバーソフトまたは、出力デバイスのドライバーソフトと出力デバイス等で実現され得る。
【０１５３】
隠蔽情報出力部３６１は、スピーカー等の出力デバイスを含むと考えても含まないと考えても良い。隠蔽情報出力部３６１は、出力デバイスのドライバーソフトまたは、出力デバイスのドライバーソフトと出力デバイス等で実現され得る。
【０１５４】
表示情報受信部４１は、通常、無線または有線の通信手段で実現されるが、放送を受信する手段で実現されても良い。
【０１５５】
表示情報出力部４２は、ディスプレイ等の出力デバイスを含むと考えても含まないと考えても良い。表示情報出力部４２は、出力デバイスのドライバーソフトまたは、出力デバイスのドライバーソフトと出力デバイス等で実現され得る。
【０１５６】
次に、情報システムＢを構成する情報処理装置３の動作について、図１３のフローチャートを用いて説明する。図１３のフローチャートにおいて、図４のフローチャートと同一のステップについて、その説明を省略する。
【０１５７】
（ステップＳ１３０１）隠蔽情報出力部３６１は、受信されたメッセージ内の隠蔽情報付加図柄に含まれる音声データを取得する。
【０１５８】
（ステップＳ１３０２）隠蔽情報出力部３６１は、ステップＳ１３０１で取得した音声データを出力する。
【０１５９】
（ステップＳ１３０３）図柄送信部３４２は、受信されたメッセージ内の表示情報を取得する。表示情報は、受信されたメッセージ内の隠蔽情報付加図柄に含まれる図柄、または受信されたメッセージ内のテキスト、または受信されたメッセージ内の隠蔽情報付加図柄に含まれる図柄とメッセージ内のテキストである。
【０１６０】
（ステップＳ１３０４）図柄送信部３４２は、ステップＳ１３０３で取得した表示情報を出力装置４に送信する。
【０１６１】
なお、図１３のフローチャートにおいて、電源オフや処理終了の割り込みにより処理は終了する。
【０１６２】
次に、出力装置４の動作について説明する。出力装置４の表示情報受信部４１は表示情報を受信する。次に、表示情報出力部４２は、受信された表示情報を出力する。
【０１６３】
なお、表示情報出力部４２が表示情報を表示した後、出力装置４が隠蔽情報出力指示を受け付けた場合、表示情報出力部４２は、当該表示情報に含まれる図柄に対応する隠蔽情報（通常、文字列）を出力しても良い。なお、表示情報は、文字列の隠蔽情報を含んでも、含まなくても良い。
【０１６４】
以下、本実施の形態における情報システムＢの具体的な動作について説明する。情報システムＢの概念図は図１である。
【０１６５】
本具体例において、情報処理装置３がメッセージを受信した後の動作について説明する。
【０１６６】
今、ユーザＸが情報処理装置３から、図８に示すメッセージをユーザＹに送信した、とする。
【０１６７】
次に、ユーザＹの情報処理装置３のメッセージ受信部１５１は、ユーザＸからのメッセージを受信する。
【０１６８】
次に、情報処理装置３の送信部３４は、受信されたメッセージの中に、隠蔽情報付加図柄が含まれる、と判断する。
【０１６９】
次に、隠蔽情報出力部３６１は、受信されたメッセージ内の隠蔽情報付加図柄に含まれる音声データ"頑張ってます"を取得する。
【０１７０】
次に、隠蔽情報出力部３６１は、ステップＳ１３０１で取得した音声データを出力する。
【０１７１】
次に、図柄送信部３４２は、受信されたメッセージ内の表示情報を取得する。この表示情報は、図６の「ＩＤ＝２」の図柄と図柄に対応する文字列の隠蔽情報「元気に頑張っているので、ご心配なく」とテキスト「今度、お盆に帰省します。」である。
【０１７２】
次に、図柄送信部３４２は、取得した表示情報を出力装置４に送信する。
【０１７３】
次に、出力装置４の表示情報受信部４１は表示情報を受信する。次に、表示情報出力部４２は、受信された表示情報のうち、隠蔽情報を除いて、出力する。かかる出力例は、図１４である。なお、図１４において、テキスト「今度、お盆に帰省します。」と図柄とが出力されている。
【０１７４】
次に、ユーザＹは、図１４の図柄を指で押下した、とする。すると、出力装置４の図示しない受付部は、隠蔽情報出力指示を受け付ける。
【０１７５】
次に、表示情報出力部４２は、当該図柄に対応する隠蔽情報のテキスト「元気に頑張っているので、ご心配なく」を図１５に示すように表示する。
【０１７６】
以上、本実施の形態によれば、受信された隠蔽情報付加図柄が有する隠蔽情報（通常、音声データ）を出力し、かつ隠蔽情報付加図柄が有する図柄を表示装置に送信できる。
【０１７７】
また、本実施の形態によれば、受信されたメッセージに含まれる音声付き図柄が有する音声データを出力し、かつメッセージに含まれる図柄とテキストとを表示装置に送信できる。なお、隠蔽情報付加図柄の隠蔽情報が音声データである場合、隠蔽情報付加図柄は音声付き図柄と言っても良い。
【０１７８】
なお、本実施の形態における情報処理装置を実現するソフトウェアは、以下のようなプログラムである。つまり、このプログラムは、コンピュータを、図柄と当該図柄に隠蔽された情報である隠蔽情報とを有する隠蔽情報付加図柄を含むメッセージを受信する受信部と、前記メッセージが有する隠蔽情報付加図柄に含まれる図柄と隠蔽情報のうち、少なくとも１種類以上の情報を出力する出力部として機能させるためのプログラムである。
【０１７９】
また、上記プログラムにおいて、前記隠蔽情報付加アイコンが有するアイコンと隠蔽情報は、別の装置で出力されるものとして、コンピュータを機能させるプログラムであることは好適である。
【０１８０】
また、上記プログラムにおいて、前記アイコンを情報処理装置とは別の装置である出力装置に送信する送信部として、コンピュータをさらに機能させるプログラムであることは好適である。
【０１８１】
また、上記プログラムにおいて、前記メッセージは、テキストをも有し、前記送信部は、
前記テキストをも前記表示装置に送信するとして、コンピュータを機能させるプログラムであることは好適である。
【０１８２】
また、図１６は、本明細書で述べたプログラムを実行して、上述した種々の実施の形態の情報処理装置等を実現するコンピュータの外観を示す。上述の実施の形態は、コンピュータハードウェア及びその上で実行されるコンピュータプログラムで実現され得る。図１６は、このコンピュータシステム３００の概観図であり、図１７は、コンピュータシステム３００のブロック図である。
【０１８３】
図１６において、コンピュータシステム３００は、ＣＤ−ＲＯＭドライブを含むコンピュータ３０１と、キーボード３０２と、マウス３０３と、モニタ３０４と、マイク３０５と、スピーカー３０６とを含む。
【０１８４】
図１７において、コンピュータ３０１は、ＣＤ−ＲＯＭドライブ３０１２に加えて、ＭＰＵ３０１３と、ＭＰＵ３０１３等に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１８５】
コンピュータシステム３００に、上述した実施の形態の情報処理装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１８６】
プログラムは、コンピュータ３０１に、上述した実施の形態の情報処理装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１８７】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０１８８】
また、上記プログラムを実行するコンピュータは、単数であってもよく、複数であってもよい。すなわち、集中処理を行ってもよく、あるいは分散処理を行ってもよい。
【０１８９】
また、上記各実施の形態において、一の装置に存在する２以上の通信手段は、物理的に一の媒体で実現されても良いことは言うまでもない。
【０１９０】
また、上記各実施の形態において、各処理（各機能）は、単一の装置（システム）によって集中処理されることによって実現されてもよく、あるいは、複数の装置によって分散処理されることによって実現されてもよい。
【０１９１】
本発明は、以上の実施の形態に限定されることなく、種々の変更が可能であり、それらも本発明の範囲内に包含されるものであることは言うまでもない。
【産業上の利用可能性】
【０１９２】
以上のように、本発明にかかる情報処理装置は、隠蔽情報が付加された図柄を送信できるという効果を有し、メッセージ送受信装置等として有用である。
【符号の説明】
【０１９３】
１、３  情報処理装置
２、４  出力装置
１１  格納部
１２  受付部
１３  処理部
１４、３４  送信部
１５  受信部
１６、３６  出力部
２１  隠蔽情報受信部
２２、３６１  隠蔽情報出力部
４１  表示情報受信部
４２、１６１  表示情報出力部
１１１  図柄格納部
１１２  隠蔽情報付加図柄格納部
１２１  選択受付部
１２２  隠蔽情報受付部
１２３  メッセージ受付部
１２４  送信指示受付部
１３１  隠蔽情報付加図柄生成部
１４１  メッセージ送信部
１４２  隠蔽情報送信部
１５１  メッセージ受信部
３４２  図柄送信部
【図２】
2017010334.tif 000003
【図３】
2017010334.tif 000004
【図４】
2017010334.tif 000005
【図７】
2017010334.tif 000006
【図１１】
2017010334.tif 000007
【図１２】
2017010334.tif 000008
【図１３】
2017010334.tif 000009
【図１６】
2017010334.tif 000010
【図１７】
2017010334.tif 000011
【図１】
2017010334.tif 000012
【図５】
2017010334.tif 000013
【図６】
2017010334.tif 000014
【図８】
2017010334.tif 000015
【図９】
2017010334.tif 000016
【図１０】
2017010334.tif 000017
【図１４】
2017010334.tif 000018
【図１５】
2017010334.tif 000019
【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
図柄と当該図柄に隠蔽された情報である隠蔽情報とを有する隠蔽情報付加図柄が格納される隠蔽情報付加図柄格納部と、
前記隠蔽情報付加図柄を含むメッセージを他の端末装置に送信する送信部と、
隠蔽情報付加図柄を含むメッセージを、他の端末装置から受信する受信部と、
前記受信部が受信したメッセージが有する隠蔽情報付加図柄に含まれる図柄と隠蔽情報のうち、少なくとも１種類以上の情報を出力する出力部とを具備する情報処理装置。
【請求項２】
前記受信部が受信した隠蔽情報付加図柄が有する図柄と隠蔽情報とは、ぞれぞれ別の装置で出力される請求項１記載の情報処理装置。
【請求項３】
前記送信部は、
前記受信部が受信したメッセージが有する隠蔽情報付加図柄のうち、隠蔽情報または図柄のうちのどちらか一方を、情報処理装置とは別の装置である出力装置に送信する請求項２記載の情報処理装置。
【請求項４】
前記メッセージは、テキストをも有し、
前記送信部は、
前記テキストまたは前記テキストを変換した音声データをも、情報処理装置とは別の装置である出力装置に送信する請求項１から請求項３いずれか一項に記載の情報処理装置。
【請求項５】
１以上の図柄を格納し得る図柄格納部と、
前記１以上の図柄のうち、一の図柄の選択を受け付ける選択受付部と、
隠蔽情報を受け付ける隠蔽情報受付部と、
前記選択受付部が受け付けた選択に対応する一の図柄と前記隠蔽情報受付部が受け付けた隠蔽情報とを用いて、隠蔽情報付加図柄を生成する隠蔽情報付加図柄生成部とをさらに具備し、
前記隠蔽情報付加図柄格納部の隠蔽情報付加図柄は、前記隠蔽情報付加図柄生成部が生成した隠蔽情報付加図柄である請求項１から請求項４いずれか一項に記載の情報処理装置。
【請求項６】
前記隠蔽情報は、音声データまたは文字列を含む請求項１から請求項５いずれか一項に記載の情報処理装置。
【請求項７】
図柄と隠蔽情報とを有する隠蔽情報付加図柄であって、
前記隠蔽情報付加図柄を含むメッセージを受信した情報処理装置は、
前記隠蔽情報付加図柄が有する図柄と隠蔽情報とは、ぞれぞれ別の装置で出力される隠蔽情報付加図柄。
【請求項８】
記録媒体は、
図柄と当該図柄に隠蔽された情報である隠蔽情報とを有する隠蔽情報付加図柄が格納される隠蔽情報付加図柄格納部を具備し、
送信部、受信部、および出力部により実現される情報処理方法であって、
前記送信部が、前記隠蔽情報付加図柄格納部の隠蔽情報付加図柄を含むメッセージを他の端末装置に送信する送信ステップと、
前記受信部が、図柄と当該図柄に隠蔽された情報である隠蔽情報とを有する隠蔽情報付加図柄を含むメッセージを、他の端末装置から受信する受信ステップと、
前出力部が、前記受信ステップで受信されたメッセージが有する隠蔽情報付加図柄に含まれる図柄と隠蔽情報のうち、少なくとも１種類以上の情報を出力する出力ステップとを具備する情報処理方法。
【請求項９】
コンピュータがアクセス可能な記録媒体は、
図柄と当該図柄に隠蔽された情報である隠蔽情報とを有する隠蔽情報付加図柄が格納される隠蔽情報付加図柄格納部を具備し、
コンピュータを、
前記隠蔽情報付加図柄を含むメッセージを他の端末装置に送信する送信部と、
図柄と当該図柄に隠蔽された情報である隠蔽情報とを有する隠蔽情報付加図柄を含むメッセージを、他の端末装置から受信する受信部と、
前記受信部が受信したメッセージが有する隠蔽情報付加図柄に含まれる図柄と隠蔽情報のうち、少なくとも１種類以上の情報を出力する出力部として機能させるためのプログラム。